(57)【特許請求の範囲】
【請求項１】
外殻が、固定子とともに回転子を覆い回転軸が一端から延出するフレームと、このフレームの反対側を覆うブラケットとにより構成され、前記フレームとブラケットとが軸方向の略中央で半径方向に張出すフランジにより接合固定され、前記ブラケットの側面には、リード線を外部に引き出すための前記フランジの一部を切欠いた鍵孔状の切欠き部を設けたモーターについて、この切欠き部に外側から取付けるための嵌込み部を有し、前記リード線を保護するとともに、このリード線の出口方向を前記フレーム側に向ける保護カバーを設け、この保護カバーには、前記リード線の出口側に前記ブラケットの前記フランジの取付面と略面一になるフランジ部を延出させ、このモーターを送風機本体となる天板に設けた取付孔に内側から装着し、前記モーターの前記フランジにおける取付面を前記箱体の天板に密着させて固定するとともに、前記モーターの前記保護カバーからリード線を前記箱体内に引き回し、前記モーターの回転軸に対して羽根車を装着した送風機。
【発明の詳細な説明】
【０００１】
【発明の属する技術分野】
本発明は、外殻がフレームとブラケットで構成され、ブラケット側からリード線が引出されるモーターを搭載した送風機に関するものである。
【０００２】
【従来の技術】
従来、天井取付け型の換気扇等の送風機のモーターは、外殻がフレームとブラケットで構成され、ブラケット側からリード線が引出される構成のものが多く採用されている。この場合、送風機の本体箱体の天板に設けた取付孔に内側からモーターを嵌装着し、リード線をブラケットのフランジの切欠部に引回して本体箱体内に引出されている。ブラケットの切欠部と天板との間には隙間ができるため、パッキン材が詰められ、また、ブラケットのリード線の口出し部分にもパッキン材が詰められ、防水等の対策が払われている。また、本体箱体の外周部にモーターのリード線を被覆保護するリード線カバーを備えた送風機も特開平８―２１９５２０号公報に示されている。
【０００３】
【発明が解決しようとする課題】
上記した従来のモーター及びこれを使った送風機においては、パッキン材を装着する煩わしい作業が必要で組立性が低く、また、リード線カバーを備えたものでも、リード線カバーと本体箱体との連絡部にはパッキン材の詰込みが必要であり、組立性が低いうえ、部品点数も嵩む。
【０００４】
本発明は、係る従来の問題点を解決するためになされたものであって、その課題とするところは、リード線保護機能が良好なモーターを使った組立性の高い送風機を得ることである。
【０００５】
【課題を解決するための手段】
前記課題を達成するために請求項１の発明は、外殻が、固定子とともに回転子を覆い回転軸が一端から延出するフレームと、このフレームの反対側を覆うブラケットとにより構成され、フレームとブラケットとが軸方向の略中央で半径方向に張出すフランジにより接合固定され、ブラケットの側面には、リード線を外部に引き出すためのフランジの一部を切欠いた鍵孔状の切欠き部を設けたモーターについて、この切欠き部に外側から取付けるための嵌込み部を有し、リード線を保護するとともに、このリード線の出口方向をフレーム側に向ける保護カバーを設け、保護カバーには、リード線の出口側にブラケットのフランジの取付面と略面一になるフランジ部を延出させ、モーターを送風機本体となる天板に設けた取付孔に内側から装着し、モーターのフランジにおける取付面を箱体の天板に密着させて固定するとともに、モーターの保護カバーからリード線を箱体内に引き回し、モーターの回転軸に対して羽根車を装着する手段を採用する。
【００１４】
【発明の実施の形態】
実施の形態１．
本実施の形態は、図１に全体を示すように外殻がフレーム１とブラケット２で構成され、ブラケット２側からリード線３が引出されるモーターに関するものである。モーターの外殻は、固定子とともに回転子を覆い回転軸４が一端から延出するフレーム１と、このフレーム１の反対側を覆うブラケット２とにより構成され、フレーム１とブラケット２とは軸方向の略中央で半径方向に張出すフランジ５により接合固定されている。ブラケット２には、外殻の外部に延出させるリード線３の口出し部分を軸方向に沿って被覆し、接合したフランジ５の回転軸４側において引出す保護構造６が丸形の山列として一体に構成されている。
【００１５】
このモーターは、リード線３を保護構造６で覆って保護でき、別部品もパッキン材の詰込みもなく、組立性が高く低コストで得られる。送風機への適用では図２及び図３に示す本体箱体７の天板８にブラケット２を挿通する取付孔９を設け、取付孔９の孔縁の一部に保護構造６を逃がす円弧状の切欠き１０を設ける。モーターをブラケット２側から、切欠き１０と保護構造６を合わせて本体箱体７の内側から取付孔９に挿入し、フランジ５の取付面１１を天板８に密着させてネジ付けにする。本体箱体７内に垂下状に延出する回転軸４に対して羽根車を装着する。モーターの天板８への組付けにおいて保護構造６と切欠き１０との係合によるモーターの位置決めが行われるため、本体箱体７への組立てがし易くなり、水密性も備わる。
【００１６】
実施の形態２．
図４〜図７によって示す本実施の形態は、実施の形態１で示したモーターの保護構造をブラケットとは別体の保護カバーとして構成し、ブラケットの口出し部分に外付けにしたものであって、これに係る構成以外は、実施の形態１のものと同じである。従って、実施の形態１のものと同じ部分については実施の形態１のものと同じ符号を用い、それらについての説明は省略する。
【００１７】
本実施の形態は、外殻を構成するブラケット２にリード線３を外部に延出させるための口出し部分１２が鍵孔状に開けられた図４に示すような標準仕様のモーターに、リード線３を保護する保護カバー１３を外付けで装着したものである。ブラケット２の口出し部分１２は、丸孔部分にフランジ５に及ぶ角孔部分が軸方向に沿って開けられていて、樹脂の一体成形物の保護カバー１３が嵌め装着されている。
【００１８】
リード線３を横に引出すリード線横出し仕様では、図５に示すように口出し部分１２の丸孔部分にリード線３を挿通できるリング状のアイ部分１４を備えた保護カバー１３が樹脂の弾力を利用した係止構造により、アイ部分１４にリード線３を通してから口出し部分１２に嵌め込まれ係止される。
【００１９】
リード線３を縦に引出すリード線縦出し仕様では、図６に示すような丸屋根形の保護カバー１３が丸孔部分から角孔部分にわたって嵌め装着される。この保護カバー１３は、図７に示すようにブラケット２の丸孔部分と角孔部分とに嵌め合わせうる係止構造１５を持つ鍵孔状の嵌込み部１６の外側を丸屋根状の被覆部１７で覆った樹脂の一体成形物である。被覆部１７は、その端部がブラケット２のフランジ５の切欠き部分１８に嵌まり、その外側にはブラケット２のフランジ５の取付面１１と略面一になるフランジ部１９が延出している。
【００２０】
保護カバー１３の内側、即ち、被覆部１７の内面には、縦方向にリード線３を挟持する列状の挟持構造２０が設けられ、複数本のリード線３を挟込んで安定状態に保持することができる。ただし、角孔部分に対応する嵌込み部１６については閉塞の角筒構造とし、被覆部１７にリード線３を挿通させるような構造としてもよい。
【００２１】
このモーターでは、保護カバー１３の丸孔部分に対応する嵌込み部１６にリード線３を通し、被覆部１７に引回して挟持構造２０に挟込んだ後、ブラケット２の口出し部分１２に外側から保護カバー１３を嵌込むだけで、組立てが完了する。モーターのブラケット２の口出し部分１２の水密は、保護カバー１３で図られ、送風機への適用に際して本体箱体７の天板８の切欠き１０に対する隙間も被覆部１７端のフランジ部１９により閉止される。保護カバー１３は樹脂製であるため絶縁性があり、成形も容易で低コストで作ることができる。これ以外の機能は、実施の形態１のものと同じである。
【００２２】
実施の形態３．
図８に示す本実施の形態は、実施の形態２で示したモーターの保護カバーについてリード線の引回しを容易にし、保護機能の向上を図る工夫を講じたものであり、それらに係る構成以外は、実施の形態２のものと同じである。従って、実施の形態２のものと同じ部分については実施の形態２のものと同じ符号を用い、それらについての説明は省略する。
【００２３】
本実施の形態のモーターは、外殻を構成するブラケット２に装着する保護カバー１３の角孔部分に対応する嵌込み部１６が開放構造となっていて、そのフランジ５側が角孔部分より若干広く構成され、その内側に、通常はリード線３の径より大きな間隔で向き合い、ブラケット２の口出し部分１２への装着によりリード線３の径より小さな間隔となるリード線保持突起２１が対向状に設けられている。
【００２４】
この構成を採用することにより、リード線３の保護カバー１３内への引回しが簡単になり、保護カバー１３の装着によりリード線保持突起２１が、嵌込み部１６の弾性変形により近接し、リード線３を保持する。従って、リード線３がフレーム１の固定子鉄芯等やフレーム１の端に接触してその被覆が破損されるようなことを防止することができる。
【００２５】
実施の形態４．
図９に示す本実施の形態は、実施の形態２で示したモーターの保護カバーについてリード線の引回しを容易にし、保護機能の向上を図る工夫を講じたものであり、それらに係る構成以外は、実施の形態２のものと同じである。従って、実施の形態２のものと同じ部分については実施の形態２のものと同じ符号を用い、それらについての説明は省略する。
【００２６】
本実施の形態のモーターは、外殻を構成するブラケット２に装着する保護カバー１３の角孔部分に対応する嵌込み部１６が開放構造となっていて、そのフランジ５側にフレーム１の端に呈出する固定子鉄芯より立上りの大きいセルフヒンジ２２によるリード線保護片２３が設けられている。
【００２７】
この構成を採用することにより、リード線３の保護カバー１３内への引回しがリード線保護片２３を開いておいてできるため簡単になり、引回した後、リード線保護片２３をセルフヒンジ２２において閉じて保護カバー１３を装着することによって、リード線保護片２３がリード線３を固定子鉄芯より大きい立上りを持って保持する。従って、リード線３がフレーム１の固定子鉄心等やフレームの端に接触してその被覆が破壊されるようなことを防止することができる。
【００２８】
【発明の効果】
請求項１の発明によれば、組立性が高く、モーターのリード線保護機能が良好な、取付け部の水密性が容易に図れる送風機が得られる。
【図面の簡単な説明】
【図１】  実施の形態１のモーターの斜視図である。
【図２】  実施の形態１のモーターを採用した送風機を示す断面図である。
【図３】  実施の形態１のモーターを採用した送風機の本体箱体の天板を示す斜視図である。
【図４】  実施の形態２のモーターの基本構成を示す斜視図である。
【図５】  実施の形態２のリード線横出し仕様のモーターを示す斜視図である。
【図６】  実施の形態２のリード線縦出し仕様のモーターを示す斜視図である。
【図７】  実施の形態２の保護カバーを示す拡大斜視図である。
【図８】  実施の形態３のモーターの保護カバーを示す拡大斜視図である。
【図９】  実施の形態４のモーターの保護カバーを示す拡大斜視図である。
【符号の説明】
１  フレーム、  ２  ブラケット、  ３  リード線、  ４  回転軸、  ５  フランジ、  ６  保護構造、  ７  本体箱体、  ８  天板、  ９  取付孔、  １１取付面、  １２  口出し部分、  １３  保護カバー、  １９  フランジ部、  ２０  挟持構造、  ２１  リード線保持突起、  ２２  セルフヒンジ、  ２３  リード線保護片。
【図１】
0004047651.tif 000002
【図２】
0004047651.tif 000003
【図３】
0004047651.tif 000004
【図４】
0004047651.tif 000005
【図５】
0004047651.tif 000006
【図６】
0004047651.tif 000007
【図７】
0004047651.tif 000008
【図８】
0004047651.tif 000009
【図９】
0004047651.tif 000010